(57)【要約】【課題】運転員の安全な運行を確保するとともに、運転席の可動や空調、乗客との関係を阻害することなく、移動体における強盗行為を抑制できる移動体の監視装置を提供する。【解決手段】移動体に備えられた被制御対象の作動を有効または無効に設定する移動体の監視装置であって、被制御対象の作動を電気的に禁止する無効状態または該禁止を解除する有効状態とする作動制限部と、移動体内部に存在する乗員数を検出する乗員検出部と、移動体の利用者に操作される操作部と、操作部が操作されたとき乗員検出部にて乗員数が予め設定された数以下と判定されると前記作動制限部に解除信号を出力し有効状態とする解除制御部と、を備えることを特徴とした移動体の監視装置。【選択図】  図１
2010237825.tif 000002
【特許請求の範囲】
【請求項１】
移動体に備えられた被制御対象の作動を無効または有効に設定する移動体の監視装置であって、
前記被制御対象の作動を電気的に禁止する無効状態または該禁止を解除する有効状態とする作動制限部と、
前記移動体内部に存在する乗員数を検出する乗員検出部と、
前記移動体の利用者に操作される操作部と、
前記操作部が操作されたとき前記乗員検出部にて乗員数が予め設定された数以下と判定されると前記作動制限部に解除信号を出力し有効状態とする解除制御部と、
を備えることを特徴とした移動体の監視装置。
【請求項２】
さらに、
前記移動体の内部を撮像する撮像装置から画像データを取得する画像取得部と、
遠隔の監視センタと接続される通信部と、
前記操作部が操作されたとき前記画像データを前記監視センタへ送出する画像送出部と、を備える請求項１に記載の移動体の監視装置。
【請求項３】
さらに、
前記通信部による通信可否を判別する通信判別部と、
前記操作部が操作されたときに通信不能と判別された場合、前記画像データを記録する画像記憶部と、を備え、
前記画像送出部は、前記通信が可能になると前記画像記憶部に記録されている画像データを前記監視センタに送出する請求項２に記載の移動体の監視装置。
【請求項４】
さらに、前記移動体内部に存在する乗員が予め登録された人物であるか判定する照合部を備え、
前記解除制御部は、前記操作部が操作されたとき、さらに、前記照合部にて前記移動体内部の乗員が予め登録された人物と判定されることを加重条件として前記作動制限部に解除信号を出力する請求項１から３の何れかに記載の移動体の監視装置。
【請求項５】
前記被制御対象は、一部に開口を有して外部から物品の投入を可能とした車載収納庫であって、
前記作動制限部は、前記有効状態になると前記車載収納庫を開放可能とし、前記無効状態になると前記車載収納庫を開放禁止にロックする請求項１から４の何れかに記載の移動体の監視装置。
【請求項６】
移動体に備えられた被制御対象の作動を有効または無効に設定する移動体の監視装置と前記監視装置と通信する監視センタとを備える移動体の監視システムであって、
前記監視装置は、
前記被制御対象の作動を電気的に禁止する無効状態または該禁止を解除する有効状態とする作動制限部と、前記移動体内部に存在する乗員数を検出する乗員検出部と、前記移動体の利用者が操作する操作部と、前記操作部が操作されたとき、前記乗員検出部にて乗員数が予め設定された数以下と判定されると前記作動制限部に解除信号を出力し有効状態とする解除制御部と、
を備え、
前記監視センタは、
前記監視装置と移動体の情報とを対応付けて記憶する記憶部と、前記監視装置から画像データを受信すると報知出力する報知部と、当該画像データおよび画像送出した監視装置または移動体の情報を表示する表示部と、
を備えることを特徴とした移動体の監視システム。
【発明の詳細な説明】
【技術分野】
【０００１】
本発明は、移動体に備えられた被制御対象の作動を有効または無効に設定する移動体の監視装置および監視システムに関し、特に、移動体の乗員に危害が加えられ得る状態では被制御対象の作動を抑制できる移動体の監視装置および監視システムに関する。
【背景技術】
【０００２】
通常、タクシーや移動型店舗車両などの業務車両には、売上金やお釣などの必要資金、運転員の所持金など一定の金品が積載されている。
近年、このような業務車両において、その運転員を襲って積載された金品を強奪する、いわゆるタクシー強盗などの犯罪行為が増加しており、社会的に問題となっている。
【０００３】
従来、かかる問題に対して、運転席と後部客室との間にパネルなどの間仕切りを設けて運転員を保護する対策が知られるところである。（例えば特許文献１）
特許文献１には、運転席と後部客室との間にアクリル板やワイヤーなどからなる仕切りバーを設けるとともに、非常時には運転員の操作により当該仕切りバーが傾倒して後部客室の乗客を拘束する自動車の防犯装置が開示されている。
【先行技術文献】
【特許文献】
【０００４】
【特許文献１】特開２００６−１３０９５１号公報
【発明の概要】
【発明が解決しようとする課題】
【０００５】
しかしながら、このような間仕切りパネルによる対策は、運転員がバックミラーにて後方確認する際に障害となったり光の反射を招くおそれがあり、安全な運向を阻害する危険性がある。
すなわち、ワイヤーなどの抑止部材で間仕切りした場合には後方の視界が物理的に阻害され、アクリル板などの透明部材で間仕切りした場合には光の反射により後方が確認しづらくなるという問題がある。
【０００６】
また、運転席の後方にパネルを設置することで、運転席が後方に倒し難くなるために、運転員が休憩を取りづらいといった問題や、運転席と後部客室とを仕切ることにより、前部と後部との間で空気の対流が阻害されて冷暖房が後部客席まで届き難いといった問題が生じるおそれもある。
さらに、後部客室に乗車する乗客からするとパネルが存在することに威圧感を感じるおそれもあり、運転員と乗客とのコミュニケーションが悪化する可能性もある。
【０００７】
そこで、本発明は、運転員の安全な運行を確保するとともに、運転席の可動や空調、乗客との関係を阻害することなく、移動体における強盗行為を抑制できる移動体の監視装置の実現を目的とする。
【課題を解決するための手段】
【０００８】
上記の目的を達成するために本発明による移動体の監視装置は、移動体に備えられた被制御対象の作動を無効または有効に設定する移動体の監視装置であって、前記被制御対象の作動を電気的に禁止する無効状態または該禁止を解除する有効状態とする作動制限部と、  前記移動体内部に存在する乗員数を検出する乗員検出部と、前記移動体の利用者に操作される操作部と、前記操作部が操作されたとき前記乗員検出部にて乗員数が予め設定された数以下と判定されると前記作動制限部に解除信号を出力し有効状態とする解除制御部と、を備えたことを特徴とする。
【０００９】
かかる構成において、移動体の監視装置は、利用者からの入力操作があったときに乗員の数が予め設定された数以下であることが判定されると、被制御対象の作動禁止を解除する解除信号が出力されて被制御対象の作動を有効状態とするよう作用する。
【００１０】
かかる構成によれば、乗員の数が運転員１人である場合など、予め設定された人数以下であるときに、被制御対象の作動を有効とすることが可能となるので、運転員のほかに乗客などが搭乗している場合には被制御対象の作動を禁止して、犯罪行為による不正な作動を抑制することができる。
これにより、前部席と後部客室とを隔てることなく、移動体における犯罪行為を抑止することが可能となる。また、かかる仕組みが広く周知されれば、移動体において犯罪行為を行うリスクが高いことが認知され、一層に犯罪抑制効果の向上を得ることができる。
【００１１】
また、好適には、さらに、前記移動体の内部を撮像する撮像装置から画像データを取得する画像取得部と、遠隔の監視センタと接続される通信部と、前記操作部が操作されたとき前記画像データを前記監視センタへ送出する画像送出部と、を備える。
【００１２】
かかる構成によれば、操作部が操作されたときに画像データを送出することで、被制御対象の作動が有効となるときに、監視センタにて移動体の画像データを監視することが可能となり、このときに何らかの犯罪行為や異常事態が発生すれば監視センタにて即座に対応することができ、また画像記録なども行うことが可能となる。
【００１３】
さらに、好適には、さらに、前記通信部による通信可否を判別する通信判別部と、前記操作部が操作されたときに通信不能と判別された場合、前記画像データを記録する画像記憶部と、を備え、前記画像送出部は、前記通信が可能になると前記画像記憶部に記録されている画像データを前記監視センタに送出する請求項２に記載の移動体の監視装置。
【００１４】
かかる構成によれば、通信が不能で画像データの送出が行えないおそれがある状況下においては、被制御対象の作動が有効となるときの画像を保存して、後に通信可能となったときに監視センタに送出することができる。これにより、画像データの送出が行えないおそれがある状況下における被制御対象作動時の画像を監視センタに送出して確認することができ、セキュリティ性の向上を図ることが可能となる。
【００１５】
また、好適には、さらに、前記移動体内部に存在する乗員が予め登録された人物であるか判定する照合部を備え、前記解除制御部は、前記操作部が操作されたとき、さらに、前記照合部にて前記移動体内部の乗員が予め登録された人物と判定されることを加重条件として前記作動制限部に解除信号を出力する。
【００１６】
かかる構成によれば、予め設定された乗員数以下であり、且つ、当該乗員が予め登録された人物であると判定されたときに、被制御対象の作動を有効とすることが可能となる。これにより、移動体が盗難された場合や移動体内に不審者が侵入した場合などにおいて、不正に被制御対象を作動させることを防止できる。
【００１７】
さらに、好適には、前記被制御対象は、一部に開口を有して外部から物品の投入を可能とした車載収納庫であって、前記作動制限部は、前記有効状態になると前記車載収納庫を開放可能とし、前記無効状態になると前記車載収納庫を開放禁止にロックする。
【００１８】
かかる構成によれば、作動を有効状態とすることで開口から投入された物品の取り出しなどのために車載収納庫を開放することが可能となり、作動を無効状態とすると開放が禁止されるように作用する。これにより、お釣りなどの業務必要資金として使用しない高額紙幣を車載収納庫に収納することで、これを強盗等の犯罪行為から保護することが可能となる。
【００１９】
また、本発明の監視システムは、移動体に備えられた被制御対象の作動を有効または無効に設定する移動体の監視装置と前記監視装置と通信する監視センタとを備える移動体の監視システムであって、前記監視装置は、前記被制御対象の作動を電気的に禁止する無効状態または該禁止を解除する有効状態とする作動制限部と、前記移動体内部に存在する乗員数を検出する乗員検出部と、前記移動体の利用者が操作する操作部と、前記操作部が操作されたとき、前記乗員検出部にて乗員数が予め設定された数以下と判定されると前記作動制限部に解除信号を出力し有効状態とする解除制御部と、を備え、前記監視センタは、前記監視装置と移動体の情報とを対応付けて記憶する記憶部と、前記監視装置から画像データを受信すると報知出力する報知部と、当該画像データおよび画像送出した監視装置または移動体の情報を表示する表示部と、を備えたことを特徴とする。
【発明の効果】
【００２０】
本発明によれば、乗員の数が予め設定された乗員数以下である場合に被制御対象の作動を有効とするで、運転員など正当な利用者のほかに乗客などが搭乗している場合には被制御対象の作動を禁止して、犯罪行為による不正な作動を抑制することができる。
これにより、前部席と後部客室と物理的に隔てることなく、タクシー強盗などの犯罪行為を抑止することができ、また、かかる仕組みが広く周知されることで、移動体において犯罪行為を行うリスクが高いことの認知を図ることができ、一層に犯罪抑制効果の向上を得ることができる。
【００２１】
また、被制御対象の作動が有効となるときの画像を通信状態に応じて外部に送出でき、セキュリティ性の向上を図ることが可能となる。
【図面の簡単な説明】
【００２２】
【図１】本発明に係る移動体の監視システムの全体構成を示す図
【図２】車載収納庫を示す斜視図
【図３】監視装置の構成を示すブロック図
【図４】監視装置にて実行される移動体の監視プログラムの動作を示すフローチャート
【図５】監視装置にて実行される通信状態の監視プログラムの動作を示すフローチャート
【発明を実施するための形態】
【００２３】
以下、本発明の実施形態について、図面を参照して具体的に説明する。
図１は、本発明の移動体の監視装置を用いた移動体の監視システムを示す構成図である。移動体の監視システムは、移動体としてのタクシー車両１と、車両内部に搭載される被制御対象としての車載収納庫２と、車両内部に設けられる監視装置３と、監視装置３と無線通信網４を介して接続されたセンタ装置５とを含んで構成される。
本実施形態では、移動体としてタクシー車両１を例に説明する。なお、移動体はこれに限定されず、バスやトラックなど他の車両や船舶や飛行機など、搭乗が可能な乗り物であれば何れであってもよい。
【００２４】
図２は、車載収納庫２を示す斜視図である。車載収納庫２は、車室内１ａに固定される固定部２１を有して、タクシー車両１の運転席を含み並んで設けられる２つの前席間のセンターコンソールなどに設置される。車載収納庫２には、施錠された収納物取出し扉２２が設けられ、収納物取出し扉２２を開放した内側には収納部２３となる空間が設けられている。また、この車載収納庫には収納部２３と外部との内外に連通した紙幣投入口２４が設けられている。
タクシー車両１の運転員は、売上金として乗客から受け取った一万円札を、紙幣投入口２４から投入し、収納部２３に収納する。即ち、一万円札はお釣りとして乗客に渡すこともなく、そのままでは業務上の必要資金として利用されることはない。また、一万円札を不用意に収納しているとタクシー強盗に襲われる原因となってしまう。そこで、本実施形態では一万円札を車載収納庫２に収納し、この車載収納庫２の作動を監視することで収納物を狙った強盗行為を抑制しようとしている。
【００２５】
車載収納庫２は施解錠部２５を備え、この施解錠部２５により収納物取出し扉２２を施解錠する。施解錠部２５は、いわゆる電気錠であり、監視装置３と接続されて、この監視装置３により施解錠が制御される。施解錠部２５は、通常状態においては車載収納庫２の収納物取出し扉２２の作動を禁止して開放禁止とする施錠状態とし、監視装置３からの解除信号を受信すると、扉２２が開放可能となる解錠状態となって扉２２の作動を有効とする。
【００２６】
監視装置３は、車室内１ａの環境情報取得手段となるカメラユニット６より車室内１ａの環境情報として画像データを取得する。そして、操作部３１が運転員などの利用者に操作されると、監視装置３はこの画像データに基づき車室内１ａに存在する搭乗者の数を判定する。これにより、タクシー車両１に運転員など通常搭乗している者の他に搭乗者が存在するか否かが判別される。監視装置３は、このように車室内１の搭乗者数を検出して通常搭乗していると設定された数以下であれば、収納庫２の収納物取出し扉２２を解錠制御する。
例えば、タクシー１が車庫にもどって売上金を取り出す場合や、収納された一万円札を乗客用のお釣りとして両替などする場合など、運転員１人が搭乗しているときに監視装置３の操作部３１を操作して、運転員は収納物取出し扉２２を解錠状態として収納物を取り出すのである。
【００２７】
なお、この予め設定される搭乗者の数は、通常搭乗している正当な資格を有した利用者の数として設定されてよく、例えばタクシーの場合は運転員１名である。本実施形態ではこの予め設定される搭乗者の数を運転員１名として説明する。
【００２８】
また、監視装置３は、操作部３１が操作され利用者が収納庫２を開放しようとするときにカメラユニット６により撮像された画像データを無線通信網４を介してセンタ装置５に送信する。これにより、監視センタ５０の監視員がタクシー１内の画像データを確認でき、タクシー１内の状況を外部から監視することができる。
【００２９】
監視センタ５０は、警備会社やタクシーの運行管理会社などが運営するセンタ装置５を備えた施設である。センタ装置５は、１又は複数のコンピュータで構成されており、本発明に関連する監視センタ５０の機能を実現する。監視センタ５０では、監視装置３から受信する画像データを記録するとともに、受信する画像データや各種情報をディスプレイに表示し、監視員が監視対象となるタクシー車両を常時監視している。
【００３０】
また、監視センタ５０のセンタ装置５は、監視装置３の識別情報や、この監視装置３に対応する車台ナンバーなどのタクシー１の車両情報、運転員の指名や顔画像、運転員の携帯電話番号、タクシー会社情報などを対応付けて記憶管理するデータベースを具備している。また、センタ装置５では、現在勤務している運転員の担当地域、車両１の位置情報なども関連付けて記憶管理される。
【００３１】
センタ装置５のディスプレイには監視装置３から受信した画像データや、これとともに受信する監視装置３の識別情報から該当する車両情報や運転員情報が表示される。また、センタ装置５のディスプレイには監視装置３から受信する位置情報が表示される。センタ装置５は、監視装置３から画像データを受信すると監視員に音や表示でこれを通知する報知手段を有している。
監視員は、かかる画像データを見てタクシー車両１が正常であることを確認する。ここで、万が一不審者による異常が発生していると判断すると、警察や対処員などに対処依頼を行う。また、タクシー車両１に設置されている車両無線により、遠隔から犯行を踏みとどまるよう警告などを行う。
【００３２】
＜監視装置＞
次に、図３を用いて監視装置３の詳細について説明する。図３は、監視装置３の構成を示すブロック図である。
監視装置３は、操作部３１を運転席近傍に配して車両ダッシュボードやインストルメントパネル下などに設置され、車載バッテリより電源供給を受けて作動する。
監視装置３は、カメラユニット６と接続されて車室内の画像データの入力を受ける画像取得部３２と、車載収納庫２の施解錠部２５と接続される接続部３３と、利用者による車載収納庫２の利用開始の操作入力を受け付ける操作部３１と、画像データやプログラムなどを記憶する記憶部３４と、無線通信網４を介してセンタ装置５と接続される無線通信部３５と、これら各部の制御を行う制御部３６とを有して概略構成される。
【００３３】
画像取得部３２は、カメラユニット６から画像データの入力を受ける入力Ｉ／Ｆ（インタフェース）として機能する。カメラユニット６は、車室内１ａが撮像できるように広角レンズを備えて車室天井などに設置され、所定間隔（たとえば１／５秒）毎に画像データを出力する。
接続部３３は、車載収納庫２の施解錠部２５と接続され、後述する制御部３６の処理により解除信号や禁止信号を出力し、また、車載収納庫２の施解錠部２５から扉開放又は閉鎖、及び解錠又は施錠の検知信号の入力を受ける入出力Ｉ／Ｆとして機能する。
【００３４】
操作部３１は、車載収納庫２の利用開始となる操作入力が可能なスイッチである。
記憶部３４は、ＲＯＭやＲＡＭ、又はＨＤＤにて構成され自己を特定するための識別情報と各種プログラムなどを記憶しており、更に後述する判定に用いる通常搭乗している利用者の数（本実施形態では１名）と、利用者を識別するための利用者登録情報とを記憶する。また、記憶部３４は、過去所定回数の検出結果である通信可否判別結果が記憶される通信可否情報と、センタ装置５に送信すべき画像データが記憶されていることを示す未送信フラグを記憶する。また、記憶部３４は、カメラユニット６から入力される画像データを記録する画像記憶部を有している。
【００３５】
無線通信部３５は、典型的には携帯電話であり、基地局４１や無線通信網４を介してセンタ装置５と接続される。無線通信部３５は、通信制御部を備え、監視装置３の制御部３６とセンタ装置５との間の通信を制御する。具体的には、制御部３６から入力される画像データなどの情報をセンタ装置５に送出し、センタ装置５から情報を受信するとこれを制御部３６に出力する。
また、無線通信部３５は、基地局情報やＧＰＳなどの位置取得手段を備え、取得した現在位置情報を所定間隔毎にセンタ装置５に送信する。現在位置情報を取得して定期的に外部に送信する方法については、既に広く知られるところであるので詳細な説明は省略する。
【００３６】
制御部３６は、ＣＰＵ、ＲＯＭ、ＲＡＭ等からなるマイクロコンピュータ及びその周辺回路で構成され、監視装置３の制御を行う。そのために、制御部３６は、このマイクロコンピュータ及びマイクロコンピュータ上で実行されるコンピュータプログラムによって実現される機能モジュールとして、通信判別部３６１と、画像送出部３６２と、解除制御部３６３と、乗員検出部３６４と、作動制限部３６５と、照合部３６６とを有する。なお、上述した記憶部３４は制御部３６内の記憶回路にて実現されてよい。
【００３７】
通信判別部３６１は、無線通信部３５が基地局４１と確実に通信ができる状態にあるか否かを判別する。具体的には、無線通信部３５と基地局４１とのネゴシエーションが確立するか否かに基づき通信の可否を判断する。基地局４１とのネゴシエーションが確立すると、通信可能と判断し、ネゴシエーションが確立せず処理がタイムアウトすると通信不能と判定する。
なお、通信可否の判別処理は、無線通信部３５を介して基地局４１から受信する電波の受信電界強度に基づき行われてもよい。
通信判別部３６１は、通信可否の判別処理を行い、その結果を記憶部３４の通信可否情報に記憶する。
【００３８】
画像送出部３６２は、カメラユニット６から順次入力される画像データを画像アナログ／デジタルコンバータにてデジタル信号に変換し、画像圧縮回路により画像圧縮符号化方式としてＪＰＥＧ規格に準拠した画像データを生成する。画像圧縮符号化方式としては、ＪＰＥＧ２０００規格や連続するフレーム間情報を用いたＭＰＥＧ２Ｖｉｄｅｏ規格など他の規格であってよい。
そして、画像送出部３６２は、解除制御部３６３からの入力に応じて、圧縮符号化された画像データを無線通信部３５、または、記憶部３４に出力する。無線通信部３５は画像データが入力されると記憶部３４に記憶された識別情報とともにセンタ装置５に送出し、記憶部３４は画像データが入力されると画像記憶部に記憶する。また、画像送出部３６２は必要に応じて乗員検出部３６４に圧縮符号化された画像データを出力する。
【００３９】
解除制御部３６３は、操作部３１から車載収納庫２の利用開始にかかる入力を受けると、乗員検出部３６４により車両室内に乗員が１人であるか否かを判別させ、また、照合部３６６に乗員が予め登録された利用者であるか否かを判別させる。乗員検出部３６４の検出結果から車両室内に乗員が１人であることが判別でき、且つ、照合部３６６の判定結果より当該乗員が予め登録された利用者であることが判別できれば、記憶部３４に記憶された最新の通信可否判別結果を参照する。その結果、通信可能であれば、画像送出部３６２に画像データを送出させる。そして、センタ装置５に画像データが送出されると、作動制限部３６５に解除信号を出力する。そして、作動制限部３６５から収納物取出し扉２２が施錠されたことを示す入力があれば、画像データの送出を終了する。
他方、このとき通信不可であれば、解除制御部３６３は、画像送出部３６２に画像データを記憶部３４に記憶させるとともに作動制限部３６５に解除信号を出力する。この場合、解除制御部３６３は、作動制限部３６５から収納物取出し扉２２が施錠されたことを示す入力があれば、画像データの記憶を終了させる。
【００４０】
乗員検出部３６４は、外部の環境情報取得手段から入力される車両室内１ａの環境情報より車両１に搭乗している乗員の数を検出する。具体的には、本実施形態において乗員検出部３６４は、カメラユニット６が撮像し画像送出部３６２にて圧縮符号化された画像データから車両室内１ａの人数を検出する。
乗員検出部３６４は、入力された画像データについて、予め設定された車両１の窓部分に対応する領域をマスク領域とし、マスクされていない領域中において現在の画像データと予め無人状態で撮影した背景画像データとで互いに対応する画素同士の差分値を算出し差分画像を生成する。そして、生成した差分画像に含まれる各画素の輝度値と所定のしきい値との大小に基づいて差分画像を２値化して、輝度値の変動がしきい値以上となる変動画素を抽出した差分２値画像を生成する。これにより、輝度値の変動がしきい値以上であった変動画素からなる変動領域が抽出される。このとき、膨張・収縮や微小面積除外のフィルタリングによりノイズを除去した２値画像を生成することが好ましい。
【００４１】
乗員検出部３６４は、生成した差分２値画像に含まれる略連続した変動画素群を１つの変動領域としてグループ化し、各変動領域に固有のラベルでラベリングする。そして、ラベリングされた各変動領域について所定以上のエッジ強度を持つ画素を抽出してエッジ画像を生成し、エッジ画像に対して予め記憶した顔または頭部テンプレートを用いてテンプレートマッチング処理を行う。乗員検出部３６４は、このテンプレートマッチング処理を変動領域ごとに行った結果として、所定以上の類似度となった変動領域の数、即ち顔または頭部のテンプレートに類似した領域を有する変動領域の数を、車両室内１ａに存在する乗員の数として判定する。
判定された乗員の数は解除制御部３６３に出力される。
【００４２】
なお、本実施の形態では環境情報として画像データが入力される例について説明したが、乗員検出部３６４による乗員の検出処理は、これに限定されず、他の環境情報取得手段により車両室内１ａの環境情報を取得して車両１に搭乗している乗員の数を検出してよい。例えば、環境情報取得手段として熱線による人体検知手段を車両室内１ａの後部座席や前部座席に設け、これから出力される人体検知信号を環境情報として得て、搭乗者の数を判定してよい。また、座席シートに環境情報取得手段として着座センサーを設け、これから出力される検知信号を環境情報として得て、これにより各座席の乗員有無から搭乗者を検出するようにしてもよい。
【００４３】
照合部３６６は、車両１に搭乗している乗員が予め登録された利用者であるか否かを判定する。具体的には、本実施形態において照合部３６６は、乗員検出部３６４が抽出した顔または頭部に類似する領域について、予め記憶部に記憶された利用者登録情報に含まれる利用者の顔画像と比較して照合する。顔画像の比較照合は、例えば、比較対象の２つの顔の顔情報の類似度を算出し、その類似度の絶対的評価により、所定のしきい値以上となる領域があれば予め登録された利用者が搭乗していると判定してよく、また他に、既存のどのような技術を適用してもよい。
乗員が予め登録された利用者であるか否かの判定結果は解除制御部３６３に出力される。またこのとき、乗員検出部３６４にて車両室内１ａに複数の乗員（顔または頭部に類似した領域）が検出されていれば、各乗員ごとに判定結果を出力する。
【００４４】
なお、照合部３６６による利用者の判定処理は、これに限定されず、他の手段により車両１に搭乗している乗員が予め登録された利用者であるか否かを判定してよい。例えば、操作部３１に、指紋などのバイオメトリクス情報や暗証番号、ＩＣカードなどの読み取り機能を設けて、これから入力される情報に基づいて利用者登録情報と比較照合を行うようにしてもよい。この場合、操作部から入力される情報に対応する利用者登録情報を予め記憶しておく。
【００４５】
作動制限部３６５は、被制御対象となる車載収納庫２の作動を電気的に制限して、収納物取出し扉２２の作動、即ち開放を禁止する無効状態またはこの禁止を解除して開放可能とする有効状態に設定する。作動制限部３６５は、解除制御部３６３から解除信号の入力を受けると接続部３３を介して施解錠部２５に解除信号を出力する。
【００４６】
施解錠部２５は解除信号の入力を受けると収納物取出し扉２２を解錠する。そして、作動制限部３６５は、収納庫２から受信する扉開または扉閉の信号より収納物取出し扉２２の開閉状態を判別し、収納物取出し扉２２が一度開放された後閉鎖状態になると収納物取出し扉を２２施錠するよう施解錠部２５に禁止信号を送信する。また、解除信号を送信後所定の開放許容時間（たとえば２分）を経過しても扉２２が開放されない場合は施解錠部２５に禁止信号を送信する。施解錠部２５は禁止信号の入力を受けると収納物取出し扉２２を施錠する。
なお、この施錠制御は、施解錠部２５を自動施錠型の電気錠として実現してもよい。この場合、施解錠部２５は収納物取出し扉２２が一度開放された後閉鎖状態になると収納物取出し扉２２を施錠し、また、所定の開放許容時間（２分）を経過しても扉２２が開放されない場合は収納物取出し扉２２を施錠する。
【００４７】
＜動作の説明＞
次に、以上のように構成される移動体の監視システムの動作について説明する。図４は、監視装置３にて実行される移動体の監視プログラムの動作を示すフローチャートである。
監視装置３は、起動すると種々の初期設定を行いかかる処理を実行する。監視装置３は、操作部３１からの入力を待ち受ける（ステップＳＴ１）。操作部３１から車載収納庫２の利用開始の入力があると（ステップＳＴ１−Ｙｅｓ）、解除制御部３６３は、乗員検出部３６４に乗員数の検出処理を実行させて乗員数を検出する（ステップＳＴ２）。
【００４８】
乗員検出部３６４は、画像送出部３６２にて圧縮符号化された画像データに対し、無人時の背景画像データとの差がしきい値以上となる変動領域を抽出する。そして、顔または頭部に類似した領域を有する変動領域の数を、車両室内１ａに存在する乗員の数として判定する。ここで、乗員として検出された数が２人以上であれば（ステップＳＴ３−Ｎｏ）、解除制御部３６３は、収納物取出し扉２２を開放禁止と判断してかかる処理を終了する。このとき、かかる判定結果を監視装置から外部に報知出力してよい。
【００４９】
他方、乗員検出部３６４による処理の結果、乗員として検出された数が１人であれば（ステップＳＴ３−Ｙｅｓ）、照合部３６６に利用者の判定処理を実行させて乗員が予め登録された利用者であるか否かを判定する（ステップＳＴ４）。
照合部３６６は、乗員検出部３６４が抽出した顔または頭部に類似する領域について、記憶部に記憶している利用者登録情報に含まれる利用者の顔画像と照合する。ここで、乗員検出部３６４が抽出した顔または頭部に類似する領域が、予め登録された利用者であると照合できれば（ステップＳＴ５−Ｙｅｓ）、解除制御部３６３は、記憶部３４の通信可否情報に記憶された最新の通信可否判別結果を参照する（ステップＳＴ６）。通信可能であれば（ステップＳ７−Ｙｅｓ）、解除制御部３６３は、画像送出部３６２にカメラユニット６が撮像する画像データを圧縮符号化してセンタ装置５に送出させる（ステップＳＴ８）。画像データは記憶部３４に記憶された識別情報とともにセンタ装置５に送信される。そして、解除制御部３６３は、センタ装置５から通信接続にかかるレスポンスを待ち受ける（ステップＳＴ９）。所定時間経過してもレスポンスデータを受信しなければ、かかる処理を終了する。
【００５０】
他方、解除制御部３６３は、センタ装置５からレスポンスデータを受信してセンタ装置５との通信が確立し、画像データの送出が開始されると（ステップＳＴ９−Ｙｅｓ）、作動制限部３６５に解除信号を出力する。作動制限部３６５は、これを受けて、収納庫２の施解錠部２５に解除信号を出力し作動が禁止された施錠状態を解除して解錠状態とする（ステップＳＴ１０）。
【００５１】
作動制限部３６５は、収納物取出し扉が開放されて閉鎖されたことを検知すると施解錠部２５を施錠させる禁止信号を出力する（ステップＳＴ１１−Ｙｅｓ）。また、解除信号を送信してから扉２２が開放されない又は閉鎖されないままに開放許容時間（２分）を経過すると（ステップＳＴ１２−Ｙｅｓ）、現在扉２２が施錠可能か否か、即ち閉鎖しているか否かを判定する（ステップＳＴ１３）。開放許容時間（２分）を経過しても扉２２が開放したままで施錠できない場合は（ステップＳＴ１３−Ｎｏ）、ブザーなどの警報出力を行い、また無線通信部３５よりセンタ装置５に異常信号を出力する（ステップＳＴ１４）。
他方、扉２２が開放されずに開放許容時間（２分）を経過した場合（ステップＳＴ１３−Ｙｅｓ）、作動制限部３６５は、施解錠部２５を施錠させる禁止信号を出力する（ステップＳＴ１５）。
そして、解除制御部３６３は、画像送出部３６２に画像データの送出処理を終了させ（ステップＳＴ１６）、かかる処理を終了する。
【００５２】
このように、監視装置３は、運転員などの利用者からの操作入力に基づき、車内に予め設定された人数より多い搭乗者が居ないことを以って、収納庫２の施解錠部２５に信号送出して収納物取出し扉２２が作動できるように解錠させる。これにより、運転員など予め規定される搭乗者の他に搭乗者がいる場合には収納庫に収納した一万円札を取り出すことを禁止して、タクシー強盗などによる不正行為を抑制することが可能となる。
また、車内の人物が予め登録されている乗員と判定された場合に作動制限部３６５が車載収納庫２を開放可能とすることで、車両盗難や車上荒しが正当な乗員のいない車両内で車載収納庫２を開放することを防止することができる。
さらに、このときの画像データをセンタ装置に送信することにより、遠隔の第三者に監視される状況において収納庫２に収納した一万円札を取り出して両替などの用に供することが可能となり、タクシー強盗などによる不正行為を抑制することが可能となる。
【００５３】
また、ステップＳＴ７において通信不能と判定された場合について説明する。解除制御部３６３は、車内に予め設定された人数以下が存在するときに車載収納庫２の利用開始の入力があり、このとき通信不能であれば、画像送出部３６２から画像記憶部に画像データを出力させて画像データの記憶を開始させる（ステップＳＴ１７）。そして、解除制御部３６３は、画像データの記憶が開始されると作動制限部３６５に解除信号を出力する。作動制限部３６５は、これを受けて、収納庫２の施解錠部２５に解除信号を出力し作動が禁止された施錠状態を解除して解錠状態とする（ステップＳＴ１８）。
【００５４】
作動制限部３６５は、収納物取出し扉２２の開閉と開放許容時間とを監視する。ステップＳＴ１９〜ＳＴ２２については、既に説明したステップＳＴ１１〜ＳＴ１５と同じ処理であるので重複した説明は省略する。即ち、収納庫２の利用が終了し施錠できる状況であれば収納物取出し扉２２を施錠して処理をステップＳＴ２３へと進め、施錠できないままに開放許容時間が経過するとステップＳＴ１４にて異常出力が行われる。なお、このとき通信できない状態であれば異常信号の出力を保留し、通信可能になったときに出力する。
【００５５】
解除制御部３６３は、ステップＳＴ２３にて画像送出部３６２から画像記憶部への画像データ出力を終了させて画像データの記憶を終了させる。そして記憶部３４の未送信フラグを成立させてかかる処理を終了する（ステップＳＴ２４）。未送信フラグは、センタ装置５に送信すべき画像データを記憶したことを意味するフラグである。
【００５６】
このように、監視装置３は、車内に予め設定された人数より多い搭乗者が居ない場合であって監視センタ５０に車両室内１ａの画像データが送出できない状況においては、このときの画像データを記憶する。これにより、第三者から確認できない状況下で車載収納庫２が開放された状況を、記録した画像データから後に確認することが可能となり、証拠性を担保してセキュリティ性を向上させることが可能となる。
【００５７】
次に、通信状態の監視処理について説明する。図５は、監視装置３にて実行される通信状態の監視プログラムの動作を示すフローチャートである。この処理は図４に示した移動体の監視プログラムと並行して実行されてよい。
通信判別部３６１は、所定間隔ごと（例えば１秒）に無線通信部３５が基地局４１と通信ができる状態にあるか否かを判別する（ステップＳＴ５１）。通信不能と判別すると（ステップＳＴ５２−Ｎｏ）、記憶部３４の通信可否情報に現在時刻と通信不能とを記憶して（ステップＳＴ５３）、処理を終了する。
【００５８】
他方、ステップＳＴ５２において通信可能と判別できれば（ステップＳＴ５２−Ｙｅｓ）、通信判別部３６１は記憶部３４の通信可否情報に現在時刻と通信可能とを記憶して（ステップＳＴ５４）、通信可否情報に記憶された直前回の通信状態が通信不能であったか確認する（ステップＳＴ５５）。ここで、直前回の通信状態が通信不能であれば（ステップＳＴ５５−Ｙｅｓ）、通信判別部３６１は記憶部３４の未送信フラグの状態を確認する（ステップＳＴ５６）。未送信フラグがＯＮであれば、即ち、通信不能であった期間に記録された画像データがあれば（ステップＳＴ５６−Ｙｅｓ）、画像記憶部に記憶された画像データを無線通信部３５よりセンタ装置５に送信させる（ステップＳＴ５７）。画像データは記憶部３４に記憶された識別情報とともにセンタ装置５に送信される。送信が終了すると（ステップＳＴ５８−Ｙｅｓ）、送信完了した画像データを画像記憶部から消去し（ステップＳＴ５９）、未送信フラグをＯＦＦして（ステップＳＴ６０）、処理を終了する。
【００５９】
このように、監視装置３は、監視センタ５に車両室内１ａの画像データが送出できない状況において収納物取出し扉２２が作動するときに記録された画像データを、後に通信可能になると監視センタ５に送信する。これにより、第三者から確認できない状況下で車載収納庫２が開放された状況を適切に確認することが可能となり、証拠性を担保できる。
【００６０】
以上に、移動体の監視システムの実施形態を示した。
なお、上記実施形態では、被制御対象を車載収納庫とした例について説明したが、これに限定されるものではない。即ち、運転員など移動体における正当な利用者以外により作動させられることが好ましくないものであれば、何れであってもよい。この典型としては、例えば車両イグニッションである。この場合、車両イグニッションを被制御対象として、運転員１人であるときに限り作動を許可する構成としてよい。
【００６１】
また、上記実施形態では、乗員検出部による処理の結果、乗員として検出された数が予め設定された人数（例えば１人）以下であれば、このときの画像データを監視センタに送出または画像記憶部に記憶して、被制御対象となる収納庫の扉を作動可能に制御する例について説明したが、これに限定されず、少なくとも乗員として検出された数が予め設定された人数（例えば１人）以下であれば、収納庫の扉を作動可能に制御してよい。即ち、図４の処理において、ステップＳＴ３にて乗員として検出された数が１人であれば、ステップＳＴ４からＳＴ７の処理をスキップし、ステップＳＴ８に進めるように構成してよい。
【００６２】
さらに、上記実施形態では、車両室内に乗員が予め設定された人数以下であり、且つ、当該乗員が予め登録された利用者であることが判別できれば、作動制限部に解除信号を出力する例について説明したが、これに限定されず、少なくとも車両室内の乗員が予め設定された人数以下であれば作動制限部に解除信号を出力する構成としてよい。即ち、図４の処理において、ステップＳＴ３にて乗員として検出された数が１人であれば、ステップＳＴ４からＳＴ５の処理をスキップし、ステップＳＴ６に進めるように構成してよい。
その他、当業者は、本発明の範囲内で、実施される形態にあわせて様々な変形例を用いることができる。
【符号の説明】
【００６３】
１    車両
１ａ  車両室内
２    車載収納庫
２１  固定部
２２  収納物取出し扉
２３  収納部
２４  紙幣挿入口                  
２５  施解錠部
３    監視装置
３１  操作部
３２  画像取得部
３３  接続部
３４  記憶部
３５  無線通信部
３６  制御部
４    無線通信網
４１  基地局
【図１】
2010237825.tif 000003
【図２】
2010237825.tif 000004
【図３】
2010237825.tif 000005
【図４】
2010237825.tif 000006
【図５】
2010237825.tif 000007